(57)【要約】【課題】強度が大きく、作業効率が良好で、コスト削減を可能にするコンクリート基礎材、コンクリート基礎構造およびコンクリート基礎施工方法を提供する。【解決手段】コンクリート基礎材２が基板１１とせき板１２とから成る。せき板１２は基板１１の上面に垂直に基板１１に一体的に設けられる。基板１１は上面にせき板１２と平行に型枠板３を保持するための型枠用溝１１ａを有する。コンクリート基礎構造１はコンクリート基礎材２と型枠板３と巾止め部材４Ａとコンクリート材９とを有する。型枠板３は型枠用溝１１ａで保持されて基板１１の上面に垂直に設けられる。巾止め部材４Ａは型枠板３をせき板１２に連結して固定する。コンクリート材９は型枠板３とせき板１２との間に打ち込まれる。【選択図】図１
2006177089.tif 000002
【特許請求の範囲】
【請求項１】
基板とせき板とから成り、前記せき板は前記基板の上面に垂直に前記基板に一体的に設けられ、前記基板は上面に前記せき板と平行に型枠板を保持するための型枠用溝を有することを、特徴とするコンクリート基礎材。
【請求項２】
請求項１記載のコンクリート基礎材と、
前記型枠用溝で保持されて前記基板の上面に垂直に設けられた型枠板と、
前記型枠板を前記せき板に連結して固定する巾止め部材と、
前記型枠板と前記せき板との間に打ち込まれるコンクリート材とを、
有することを特徴とするコンクリート基礎構造。
【請求項３】
前記型枠用溝は複数から成って前記基板にそれぞれ平行に設けられ、前記巾止め部材は前記型枠板と前記せき板との間隔を調節可能であることを、特徴とする請求項２記載のコンクリート基礎構造。
【請求項４】
アンカーボルトと、１対の巾止め固定ナットと、レベル調整ナットと、土台とを有し、前記巾止め部材は第１部材と第２部材とから成り、前記第１部材および前記第２部材はそれぞれ保持板と連結板とを有し、前記保持板は取付孔を有し前記連結板の端部に垂直に一体的に設けられ、前記連結板は前記保持板の反対側端部に保持板側に伸びる固定用溝部を有し、各保持板は前記取付孔にボルトを挿入されてそれぞれ前記型枠板および前記せき板に固定され、各連結板は互いに前記反対側端部を対向させて各固定用溝部の間に前記アンカーボルトが挿入され、各巾止め固定ナットは各連結板の両面を挟んで前記アンカーボルトと螺合し、前記レベル調整ナットは前記アンカーボルトの上部に螺合し、前記土台は挿入孔を有し、前記挿入孔に前記アンカーボルトを挿入させて前記レベル調整ナットの上部に固定されていることを、特徴とする請求項２または３記載のコンクリート基礎構造。
【請求項５】
アンカーボルトと、１対の巾止め固定ナットと、レベル調整ナットと、土台とを有し、前記巾止め部材は第１部材と第２部材とから成り、前記第１部材は第１保持板と第１連結板とを有し、前記第１保持板は取付孔を有し前記第１連結板の端部に垂直に一体的に設けられ、前記第１連結板は前記第１保持板の反対側端部に第１保持板側に伸びる固定用の第１溝部を有し、前記第２部材はフックと第２連結板とを有し、前記フックは前記第２連結板の端部に一体的に設けられて前記せき板の上端に係合可能に構成され、前記第２連結板は前記フックの反対側端部にフック側に伸びる固定用の第２溝部を有し、前記第１保持板は前記取付孔にボルトを挿入されて前記型枠板に固定され、前記フックは前記せき板の上端と係合しており、前記第１連結板および前記第２連結板は互いに前記反対側端部を対向させて前記第１溝部および前記第２溝部の間に前記アンカーボルトが挿入され、各巾止め固定ナットは前記第１連結板および前記第２連結板の両面を挟んで前記アンカーボルトと螺合し、前記レベル調整ナットは前記アンカーボルトの上部に螺合し、前記土台は挿入孔を有し、前記挿入孔に前記アンカーボルトを挿入させて前記レベル調整ナットの上部に固定されていることを、特徴とする請求項２または３記載のコンクリート基礎構造。
【請求項６】
地盤を根切して砕石を敷設し、前記砕石の上に請求項１記載のコンクリート基礎材の基板を設置し、型枠板を前記型枠用溝で保持して前記基板の上面に垂直に設け、前記型枠板を巾止め部材で前記せき板に連結して固定し、前記基礎用穴の空隙を埋め、前記型枠板と前記せき板との間にコンクリートを打ち込むことを、特徴とするコンクリート基礎施工方法。
【請求項７】
前記型枠用溝は複数から成って前記基板にそれぞれ平行に設けられ、前記型枠板を前記型枠用溝で保持する際、前記型枠板を前記型枠用溝のいずれかで保持することを、特徴とする請求項６記載のコンクリート基礎施工方法。
【請求項８】
前記巾止め部材は第１部材と第２部材とから成り、前記第１部材および前記第２部材はそれぞれ保持板と連結板とを有し、前記保持板は取付孔を有し前記連結板の端部に垂直に一体的に設けられ、前記連結板は前記保持板の反対側端部に保持板側に伸びる固定用溝部を有し、前記型枠板を前記巾止め部材で前記せき板に連結して固定する際、各保持板の前記取付孔にボルトを挿入して各保持板をそれぞれ前記型枠板および前記せき板に固定し、各連結板の前記反対側端部を対向させて各固定用溝部の間にアンカーボルトを挿入し、１対の巾止め固定ナットで各連結板の両面を挟んで各巾止め固定ナットを前記アンカーボルトと螺合させ、レベル調整ナットを前記アンカーボルトの上部に螺合させ、挿入孔を有する土台のその挿入孔に前記アンカーボルトを挿入させて前記レベル調整ナットの上部に固定することを、特徴とする請求項６または７記載のコンクリート基礎施工方法。
【請求項９】
前記巾止め部材は第１部材と第２部材とから成り、前記第１部材は第１保持板と第１連結板とを有し、前記第１保持板は取付孔を有し前記第１連結板の端部に垂直に一体的に設けられ、前記第１連結板は前記第１保持板の反対側端部に第１保持板側に伸びる固定用の第１溝部を有し、前記第２部材はフックと第２連結板とを有し、前記フックは前記第２連結板の端部に一体的に設けられて前記せき板の上端に係合可能に構成され、前記第２連結板は前記フックの反対側端部にフック側に伸びる固定用の第２溝部を有し、前記型枠板を前記巾止め部材で前記せき板に連結して固定する際、前記第１保持板の前記取付孔にボルトを挿入して前記第１保持板を前記型枠板に固定し、前記フックを前記せき板の上端と係合させ、前記第１連結板および前記第２連結板の前記反対側端部を対向させて前記第１溝部および前記第２溝部の間にアンカーボルトを挿入し、１対の巾止め固定ナットで前記第１連結板および前記第２連結板の両面を挟んで各巾止め固定ナットを前記アンカーボルトと螺合させ、レベル調整ナットを前記アンカーボルトの上部に螺合させ、挿入孔を有する土台のその挿入孔に前記アンカーボルトを挿入させて前記レベル調整ナットの上部に固定することを、特徴とする請求項６または７記載のコンクリート基礎施工方法。
【発明の詳細な説明】
【技術分野】
【０００１】
本発明は、建物の基礎に用いられるコンクリート基礎材、コンクリート基礎構造およびコンクリート基礎施工方法に関する。
【背景技術】
【０００２】
従来の建物の基礎施工方法は、一般に、根切、ベース砕石、捨コン、ベース型枠、鉄筋、ベースコンクリート、布基礎型枠、コンクリート、型枠取外し、埋め戻し、残土処分、ツカ石設置、防湿処理の各工程から成っている。こうして、建物の基礎部の外周部分に沿って外側布基礎を設け、外側布基礎の内側部分に基礎スラブを形成して基礎構造を構築するようになっている（例えば、特許文献１参照）。
【０００３】
【特許文献１】特開２００３−１０５７７７号公報
【発明の開示】
【発明が解決しようとする課題】
【０００４】
従来の基礎施工方法では、ベースコンクリートとその上に垂直に設けられる布コンクリートとの間にコンクリートの打継があるため、その打継部分から基礎が倒壊するおそれがあるという課題があった。また、ベースコンクリートを施工した後に、布コンクリートを施工するため、２回のコンクリート作業が必要となり、作業効率が悪いという課題があった。さらに、従来の基礎施工方法では、基礎スラブを施工する際、根切した箇所から地盤を斜めに削ってコンクリートを打ち込んでいる。このため、斜めに削られた箇所で使用するコンクリートの量が多くなり、コスト高となるという課題があった。
【０００５】
本発明は、このような課題に着目してなされたもので、強度が大きく、作業効率が良好で、コスト削減を可能にするコンクリート基礎材、コンクリート基礎構造およびコンクリート基礎施工方法を提供することを目的としている。
【課題を解決するための手段】
【０００６】
上記目的を達成するために、本発明に係るコンクリート基礎材は、基板とせき板とから成り、前記せき板は前記基板の上面に垂直に前記基板に一体的に設けられ、前記基板は上面に前記せき板と平行に型枠板を保持するための型枠用溝を有することを、特徴とする。
【０００７】
本発明に係るコンクリート基礎材は、基板とせき板とを一体的に有し、コンクリートの打継部分がないため、打継部分から倒壊するおそれがなく、強度が大きい。また、本発明に係るコンクリート基礎材は、設置するだけで、せき板を立ち上げることができるので、その施工に２回のコンクリート作業を必要とした従来の基礎施工方法に比べて、作業効率が良好である。さらに、本発明に係るコンクリート基礎材は、せき板が基板の上面に垂直に設けられているので、根切した箇所から地盤を斜めに削ってコンクリートを打ち込む従来の基礎施工方法に比べて、コスト削減を図ることができる。
【０００８】
なお、前記基板は、ほぼ長方形の底面形状を有し、前記せき板を挟んでその両面側に垂直に突出し、前記型枠用溝が設けられた突出部分と反対側の突出部分の角部を４５度の角度で切り欠いた形状を有することが好ましい。この場合、２つのコンクリート基礎材の互いに切り欠いた部分を合わせて、各コンクリート基礎材を直角に配置することができる。
【０００９】
本発明に係るコンクリート基礎構造は、前記コンクリート基礎材と、前記型枠用溝で保持されて前記基板の上面に垂直に設けられた型枠板と、前記型枠板を前記せき板に連結して固定する巾止め部材と、前記型枠板と前記せき板との間に打ち込まれるコンクリート材とを、有することを特徴とする。
【００１０】
本発明に係るコンクリート基礎構造は、コンクリート基礎材が基板とせき板とを一体的に有し、コンクリートの打継部分がないため、打継部分から倒壊するおそれがなく、強度が大きい。また、コンクリート基礎材を設置するだけで、せき板を立ち上げることができるので、その施工に２回のコンクリート作業を必要とした従来の基礎施工方法に比べて、作業効率が良好である。さらに、コンクリート基礎材のせき板が基板の上面に垂直に設けられているので、根切した箇所から地盤を斜めに削ってコンクリートを打ち込む従来の基礎施工方法に比べて、コスト削減を図ることができる。本発明に係るコンクリート基礎構造において、コンクリート基礎材は、複数設けられ、それぞれ型枠用溝を外側にしてせき板で空間を包囲するように配置されることが好ましい。このとき、複数のせき板と複数の型枠板との間にコンクリートを打ち込むための包囲された溝が形成される。巾止め部材は、１つのコンクリート基礎材に対して縦方向および横方向に間隔をおいて複数設けられることが好ましい。
【００１１】
本発明に係るコンクリート基礎構造において、前記型枠用溝は複数から成って前記基板にそれぞれ平行に設けられ、前記巾止め部材は前記型枠板と前記せき板との間隔を調節可能であってもよい。
【００１２】
この構成では、型枠板を複数の型枠用溝のいずれかに配置することにより、布コンクリートの厚さを調節することができる。その場合にも、間隔を調節可能な巾止め部材により、型枠板とせき板とを連結して固定することができる。
【００１３】
本発明に係るコンクリート基礎構造において、アンカーボルトと、１対の巾止め固定ナットと、レベル調整ナットと、土台とを有し、前記巾止め部材は第１部材と第２部材とから成り、前記第１部材および前記第２部材はそれぞれ保持板と連結板とを有し、前記保持板は取付孔を有し前記連結板の端部に垂直に一体的に設けられ、前記連結板は前記保持板の反対側端部に保持板側に伸びる固定用溝部を有し、各保持板は前記取付孔にボルトを挿入されてそれぞれ前記型枠板および前記せき板に固定され、各連結板は互いに前記反対側端部を対向させて各固定用溝部の間に前記アンカーボルトが挿入され、各巾止め固定ナットは各連結板の両面を挟んで前記アンカーボルトと螺合し、前記レベル調整ナットは前記アンカーボルトの上部に螺合し、前記土台は挿入孔を有し、前記挿入孔に前記アンカーボルトを挿入させて前記レベル調整ナットの上部に固定されていることが好ましい。
【００１４】
この構成では、巾止め部材の第１部材と第２部材との間隔を調節することができるので、種々の布コンクリートの厚さに対応することができる。アンカーボルトは、巾止め固定ナットにより巾止め部材に任意の位置で固定することができる。レベル調整ナットの高さを調節することにより、土台の高さを容易に調節することができる。
【００１５】
また、本発明に係るコンクリート基礎構造において、アンカーボルトと、１対の巾止め固定ナットと、レベル調整ナットと、土台とを有し、前記巾止め部材は第１部材と第２部材とから成り、前記第１部材は第１保持板と第１連結板とを有し、前記第１保持板は取付孔を有し前記第１連結板の端部に垂直に一体的に設けられ、前記第１連結板は前記第１保持板の反対側端部に第１保持板側に伸びる固定用の第１溝部を有し、前記第２部材はフックと第２連結板とを有し、前記フックは前記第２連結板の端部に一体的に設けられて前記せき板の上端に係合可能に構成され、前記第２連結板は前記フックの反対側端部にフック側に伸びる固定用の第２溝部を有し、前記第１保持板は前記取付孔にボルトを挿入されて前記型枠板に固定され、前記フックは前記せき板の上端と係合しており、前記第１連結板および前記第２連結板は互いに前記反対側端部を対向させて前記第１溝部および前記第２溝部の間に前記アンカーボルトが挿入され、各巾止め固定ナットは前記第１連結板および前記第２連結板の両面を挟んで前記アンカーボルトと螺合し、前記レベル調整ナットは前記アンカーボルトの上部に螺合し、前記土台は挿入孔を有し、前記挿入孔に前記アンカーボルトを挿入させて前記レベル調整ナットの上部に固定されていることも好ましい。
【００１６】
この構成でも、巾止め部材の第１部材と第２部材との間隔を調節することができるので、種々の布コンクリートの厚さに対応することができる。巾止め部材は、第２部材のフックをせき板の上端と係合させることにより、取り付けが容易である。アンカーボルトは、巾止め固定ナットにより巾止め部材に任意の位置で固定することができる。レベル調整ナットの高さを調節することにより、土台の高さを容易に調節することができる。
【００１７】
本発明に係るコンクリート基礎施工方法は、地盤を根切して砕石を敷設し、前記砕石の上に請求項１記載のコンクリート基礎材の基板を設置し、型枠板を前記型枠用溝で保持して前記基板の上面に垂直に設け、前記型枠板を巾止め部材で前記せき板に連結して固定し、前記基礎用穴の空隙を埋め、前記型枠板と前記せき板との間にコンクリートを打ち込むことを、特徴とする。
【００１８】
本発明に係るコンクリート基礎施工方法は、コンクリート基礎材が基板とせき板とを一体的に有し、コンクリートの打継部分がないため、打継部分から倒壊するおそれがなく、強度が大きい。また、コンクリート基礎材を設置するだけで、せき板を立ち上げることができるので、その施工に２回のコンクリート作業を必要とした従来の基礎施工方法に比べて、作業効率が良好である。さらに、コンクリート基礎材のせき板が基板の上面に垂直に設けられているので、根切した箇所から地盤を斜めに削ってコンクリートを打ち込む従来の基礎施工方法に比べて、コスト削減を図ることができる。本発明に係るコンクリート基礎施工方法により、前述のコンクリート基礎構造を施工することができる。本発明に係るコンクリート基礎施工方法では、複数のコンクリート基礎材を準備し、それぞれ型枠用溝を外側にしてせき板で空間を包囲するように配置することが好ましい。このとき、複数のせき板と複数の型枠板との間にコンクリートを打ち込むための包囲された溝を形成する。巾止め部材は、１つのコンクリート基礎材に対して縦方向および横方向に間隔をおいて複数用いることが好ましい。
【００１９】
本発明に係るコンクリート基礎施工方法において、前記型枠用溝は複数から成って前記基板にそれぞれ平行に設けられ、前記型枠板を前記型枠用溝で保持する際、前記型枠板を前記型枠用溝のいずれかで保持するようにしてもよい。
この構成では、型枠板を複数の型枠用溝のいずれかに配置することにより、布コンクリートの厚さを調節することができる。
【００２０】
本発明に係るコンクリート基礎施工方法において、前記巾止め部材は第１部材と第２部材とから成り、前記第１部材および前記第２部材はそれぞれ保持板と連結板とを有し、前記保持板は取付孔を有し前記連結板の端部に垂直に一体的に設けられ、前記連結板は前記保持板の反対側端部に保持板側に伸びる固定用溝部を有し、前記型枠板を前記巾止め部材で前記せき板に連結して固定する際、各保持板の前記取付孔にボルトを挿入して各保持板をそれぞれ前記型枠板および前記せき板に固定し、各連結板の前記反対側端部を対向させて各固定用溝部の間にアンカーボルトを挿入し、１対の巾止め固定ナットで各連結板の両面を挟んで各巾止め固定ナットを前記アンカーボルトと螺合させ、レベル調整ナットを前記アンカーボルトの上部に螺合させ、挿入孔を有する土台のその挿入孔に前記アンカーボルトを挿入させて前記レベル調整ナットの上部に固定することが好ましい。
【００２１】
この構成では、巾止め部材の第１部材と第２部材との間隔を調節することができるので、種々の布コンクリートの厚さに対応することができる。アンカーボルトは、巾止め固定ナットにより巾止め部材に任意の位置で固定することができる。レベル調整ナットの高さを調節することにより、土台の高さを容易に調節することができる。
【００２２】
本発明に係るコンクリート基礎施工方法において、前記巾止め部材は第１部材と第２部材とから成り、前記第１部材は第１保持板と第１連結板とを有し、前記第１保持板は取付孔を有し前記第１連結板の端部に垂直に一体的に設けられ、前記第１連結板は前記第１保持板の反対側端部に第１保持板側に伸びる固定用の第１溝部を有し、前記第２部材はフックと第２連結板とを有し、前記フックは前記第２連結板の端部に一体的に設けられて前記せき板の上端に係合可能に構成され、前記第２連結板は前記フックの反対側端部にフック側に伸びる固定用の第２溝部を有し、前記型枠板を前記巾止め部材で前記せき板に連結して固定する際、前記第１保持板の前記取付孔にボルトを挿入して前記第１保持板を前記型枠板に固定し、前記フックを前記せき板の上端と係合させ、前記第１連結板および前記第２連結板の前記反対側端部を対向させて前記第１溝部および前記第２溝部の間にアンカーボルトを挿入し、１対の巾止め固定ナットで前記第１連結板および前記第２連結板の両面を挟んで各巾止め固定ナットを前記アンカーボルトと螺合させ、レベル調整ナットを前記アンカーボルトの上部に螺合させ、挿入孔を有する土台のその挿入孔に前記アンカーボルトを挿入させて前記レベル調整ナットの上部に固定することも好ましい。
【００２３】
この構成でも、巾止め部材の第１部材と第２部材との間隔を調節することができるので、種々の布コンクリートの厚さに対応することができる。巾止め部材は、第２部材のフックをせき板の上端と係合させることにより、取り付けが容易である。アンカーボルトは、巾止め固定ナットにより巾止め部材に任意の位置で固定することができる。レベル調整ナットの高さを調節することにより、土台の高さを容易に調節することができる。
【発明の効果】
【００２４】
本発明によれば、強度が大きく、作業効率が良好で、コスト削減を可能にするコンクリート基礎材、コンクリート基礎構造およびコンクリート基礎施工方法を提供することができる。
【発明を実施するための最良の形態】
【００２５】
以下、図面に基づき、本発明の実施の形態について説明する。
図１乃至図４は、本発明の実施の形態のコンクリート基礎構造を示している。
図１に示すように、コンクリート基礎構造１は、複数のコンクリート基礎材２を使用して構成されている。
【００２６】
図１乃至図３に示すように、各コンクリート基礎材２は、基板１１とせき板１２とから成っている。せき板１２は、基板１１の長さと同じ長さの長方形状であって、基板１１の上面に垂直に基板１１の長さ方向に沿って基板１１に一体的に設けられている。基板１１は、上面にせき板１２と平行に型枠板３を保持するための型枠用溝１１ａを有している。図３に示すように、基板１１は、ほぼ長方形の底面形状を有し、せき板１２を挟んでその両面側に垂直に突出し、型枠用溝１１ａが設けられた突出部分１１ｂと反対側の突出部分１１ｃの角部１１ｄを４５度の角度で切り欠いた形状を有している。すなわち、型枠用溝１１ａが設けられた突出部分１１ｂの平面形状は長方形状であり、その反対側の突出部分１１ｃの平面形状は等脚台形状となっている。
【００２７】
コンクリート基礎構造１は、コンクリート基礎材２と、型枠板３と、巾止め部材４Ａ，４Ｂと、アンカーボルト５と、１対の巾止め固定ナット６と、レベル調整ナット７と、土台８と、コンクリート材９とを有している。コンクリート基礎材２は、複数設けられ、それぞれ型枠用溝１１ａを外側にしてせき板１２で空間を包囲するように配置される。型枠板３は、基板１１の長さと同じ長さでせき板１２より高い長方形の板から成る。型枠板３は、型枠用溝１１ａで保持されて基板１１の上面に垂直に設けられている。複数のせき板１２と複数の型枠板３との間には、コンクリートを打ち込むための包囲された溝が形成されている。型枠板３を型枠用溝１１ａで保持することにより、埋め戻した土１０で型枠板３が押されないように保つことができる。
【００２８】
巾止め部材４Ａ，４Ｂは、型枠板３をせき板１２に連結して固定する部材である。巾止め部材４Ａは２種類あり、せき板１２および型枠板３の下部側に固定される図４（Ａ）に示す巾止め部材４Ａと、それらの上部側に固定される図４（Ｂ）に示す巾止め部材４Ｂとがある。巾止め部材４Ａ，４Ｂは、１つのコンクリート基礎材２に対して横方向に間隔をおいてそれぞれ複数設けられる。
【００２９】
図４（Ａ）に示す巾止め部材４Ａは第１部材１３と第２部材１４とから成る。第１部材１３は、第１保持板１５と第１連結板１６とを有している。第１保持板１５は、中央に取付孔１７を有し、第１連結板１６の端部に垂直に一体的に設けられている。第１連結板１６は、第１保持板１５の反対側端部に、長さ方向に第１保持板１５側に伸びる固定用の第１溝部１８を有している。
【００３０】
第２部材１４は、フック２１と第２連結板２２とを有している。フック２１は、第２連結板２２を折り曲げて構成され、第２連結板２２の端部に一体的に設けられている。フック２１は、せき板１２の上端１２ａに係合可能となっている。第２連結板２２は、フック２１の反対側端部に、長さ方向にフック２１側に伸びる固定用の第２溝部２３を有している。
【００３１】
図１に示すように、第１保持板１５は、取付孔１７にボルトを挿入されて型枠板３に固定される。フック２１は、せき板１２の上端１２ａを被覆し、上端１２ａと係合している。第１連結板１６および第２連結板２２は、互いに反対側端部を対向させて第１溝部１８および第２溝部２３の間にアンカーボルト５が挿入されている。各巾止め固定ナット６は、第１連結板１６および第２連結板２２の両面を挟んでアンカーボルト５と螺合し、第１連結板１６および第２連結板２２を締め付けている。
【００３２】
図４（Ｂ）に示す巾止め部材４Ｂは、一端保持板２５と連結板２６と他端保持板２７とを有している。一端保持板２５および他端保持板２７は、それぞれ中央に取付孔２８，２９を有し、互いに反対向きで連結板２６の両端部にそれぞれ垂直に一体的に設けられている。一端保持板２５は、取付孔２８にボルトを挿入されて型枠板３に固定されている。他端保持板２７は、取付孔２９にボルトを挿入されてせき板１２に固定されている。
【００３３】
図４（Ｃ）に示すように、レベル調整ナット７は、上端にフランジ７ａを有し、アンカーボルト５の上部に螺合している。土台８は挿入孔８ａを有し、挿入孔８ａにアンカーボルト５を挿入させて、レベル調整ナット７のフランジ７ａの上部に載った状態でナット８ｂを締め付けられて固定されている。土台８の上には、軸組み構造の住宅を建築することができる。
【００３４】
図１に示すように、せき板１２で包囲される内側には、せき板１２と同じ高さまで砕石３０が敷設されている。コンクリート材９は、型枠板３とせき板１２との間に打ち込まれ、さらに、せき板１２で包囲される内側の砕石３０の上に打ち込まれ、基礎スラブを構成する。基礎スラブは、床の防湿を可能にし、コンクリート打継なしの一体型の住宅基礎となる。基礎スラブは、全体が凸状で、下からの地中熱源を蓄熱することができる。また、基礎スラブは、水平方向の揺れに対して強度が大きく、耐震性を有する。
【００３５】
コンクリート基礎構造１は、以下の方法で施工される。まず、地盤Ｇを根切して砕石３１を敷設し、砕石３１の上にコンクリート基礎材２の基板１１を設置する。コンクリート基礎材２は複数準備し、それぞれ型枠用溝１１ａを外側にしてせき板１２で空間を包囲するように配置する。型枠板３を型枠用溝１１ａで保持して基板１１の上面に垂直に設ける。このとき、複数のせき板１２と複数の型枠板３との間にコンクリートを打ち込むための包囲された溝を形成する。型枠板３を巾止め部材４Ａ，４Ｂでせき板１２に連結して固定する。巾止め部材４Ａ，４Ｂは、１つのコンクリート基礎材２に対して横方向に間隔をおいて複数用いる。このとき、巾止め部材４Ａでは、第１部材１３の第１保持板１５の取付孔１７にボルトを挿入して第１保持板１５を型枠板３に固定し、第２部材１４のフック２１をせき板１２の上端１２ａと係合させる。第１連結板１６および第２連結板２２の反対側端部を対向させて第１溝部１８および第２溝部２３の間にアンカーボルト５を挿入する。１対の巾止め固定ナット６で第１連結板１６および第２連結板２２の両面を挟んで各巾止め固定ナット６をアンカーボルト５と螺合させる。
【００３６】
レベル調整ナット７をアンカーボルト５の上部に螺合させる。土台８のその挿入孔にアンカーボルト５を挿入させて、土台８をレベル調整ナット７の上部に固定する。基礎用穴の空隙を土で埋める。型枠板３とせき板１２との間にコンクリートを打ち込み、さらに、せき板１２で包囲される内側の砕石３０の上にコンクリートを打ち込んで、基礎スラブを形成する。
【００３７】
次に、作用について説明する。
コンクリート基礎構造１およびその施工方法では、コンクリート基礎材２が基板１１とせき板１２とを一体的に有し、コンクリートの打継部分がないため、打継部分から倒壊するおそれがなく、強度が大きい。また、コンクリート基礎材２を設置するだけで、せき板１２を立ち上げることができるので、その施工に２回のコンクリート作業を必要とした従来の基礎施工方法に比べて、作業効率が良好である。さらに、コンクリート基礎材２のせき板１２が基板１１の上面に垂直に設けられているので、根切した箇所から地盤を斜めに削ってコンクリートを打ち込む従来の基礎施工方法に比べて、コスト削減を図ることができる。
【００３８】
また、巾止め部材４Ａの第１部材１３と第２部材１４との間隔を調節することができるので、種々の布コンクリートの厚さに対応することができる。巾止め部材４Ａは、第２部材１４のフック２１をせき板１２の上端１２ａと係合させることにより、取り付けが容易である。アンカーボルト５は、巾止め固定ナット６により巾止め部材４Ａに任意の位置で固定することができる。レベル調整ナット７の高さを調節することにより、土台８の高さを容易に調節することができる。
【００３９】
なお、コンクリート基礎構造１において、図４（Ａ）に示す巾止め部材４Ａの代わりに、図４（Ｄ）に示す巾止め部材４Ｃを用いてもよい。巾止め部材４Ｃは第１部材４１と第２部材４２とから成り、第１部材４１および第２部材４２はそれぞれ保持板４３，４４と連結板４５，４６とを有している。この場合、保持板４３，４４は取付孔４７，４８を有し連結板４５，４６の端部に垂直に一体的に設けられ、連結板４５，４６は保持板４３，４４の反対側端部に保持板側に伸びる固定用溝部４９，５０を有している。各保持板４３，４４は、取付孔４７，４８にボルトを挿入されてそれぞれ型枠板３およびせき板１２に固定される。各連結板４５，４６は、互いに反対側端部を対向させて各固定用溝部４９，５０の間にアンカーボルト５（図４（Ａ）参照）が挿入される。各巾止め固定ナット６（図４（Ａ）参照）は、各連結板４５，４６の両面を挟んでアンカーボルト５と螺合する。他の構成は、前述のコンクリート基礎構造１と同様である。
【００４０】
図４（Ａ）に示す巾止め部材４Ａの代わりに、図４（Ｄ）に示す巾止め部材４Ｃを用いたコンクリート基礎構造では、型枠板３を巾止め部材４Ｃでせき板１２に連結して固定する際、各保持板４３，４４の取付孔４７，４８にボルトを挿入して各保持板４３，４４をそれぞれ型枠板３およびせき板１２に固定する。各連結板４５，４６の反対側端部を対向させて各固定用溝部４９，５０の間にアンカーボルト５を挿入する。１対の巾止め固定ナット６で各連結板４５，４６の両面を挟んで各巾止め固定ナット６をアンカーボルト５と螺合させる。他の工程は、前述のコンクリート基礎構造１の施工方法と同様である。
【００４１】
図４（Ｄ）に示す巾止め部材４Ｃを用いた場合、巾止め部材４Ｃの第１部材４１と第２部材４２との間隔を調節することができるので、種々の布コンクリートの厚さに対応することができる。アンカーボルト５は、巾止め固定ナット６により巾止め部材４Ｃに任意の位置で固定することができる。レベル調整ナット７の高さを調節することにより、土台８の高さを容易に調節することができる。
【００４２】
なお、コンクリート基礎構造１において、型枠用溝１１ａは複数から成って基板１１にそれぞれ平行に設けられてもよい。このコンクリート基礎構造１の施工方法では、型枠板３を型枠用溝１１ａで保持する際、型枠板３を型枠用溝１１ａのいずれかで保持するようにする。このコンクリート基礎構造１およびその施工方法では、型枠板３を複数の型枠用溝１１ａのいずれかに配置することにより、布コンクリートの厚さを調節することができる。その場合にも、間隔を調節可能な巾止め部材４Ａにより、型枠板３とせき板１２とを連結して固定することができる。
【００４３】
また、図４（Ａ）に示す巾止め部材４Ａの代わりに、図４（Ｅ）に示す巾止め部材４Ｄを用いてもよい。図４（Ｅ）に示す巾止め部材４Ｄは、保持板５１と連結板５２とフック５３とを有している。この場合、保持板５１は取付孔５４を有し、連結板５２の端部に垂直に一体的に設けられ、フック５３は連結板５２を折り曲げて連結板５２の端部に一体的に設けられる。フック５３は、せき板１２の上端１２ａに係合可能となっている。連結板５２は、アンカーボルト５と螺合するめねじ孔５４を中央に有する。保持板５１は、取付孔５４にボルトを挿入されて型枠板３に固定される。フック５３は、せき板１２の上端１２ａに係合する。他の構成は、前述のコンクリート基礎構造１と同様である。
【００４４】
図５（Ａ），（Ｂ）は、コンクリート基礎材の他の態様を示している。このコンクリート基礎材６０は、基板６１の型枠用溝６１ａを両方の突出部分６１ｂ，６１ｃの上面に有している。突出部分６１ｂ，６１ｃは、せき板６２を挟んで対称の形状を有し、いずれも角部６１ｄを４５度の角度で切り欠いた形状を有している。この場合、突出部分６１ｂ，６１ｃの一方または両方の型枠用溝６１ａで型枠板を保持することができる。
コンクリート基礎材は、図５（Ｃ）に示すように、せき板６２の下部６２ａが薄くなっていてもよい。この場合、重量を軽くし、運搬を容易にすることができる。
また、図５（Ｄ）に示すように、型枠板７０は、模様の付いた化粧板７１と断熱板７２とを貼り合せて成っていてもよい。
【図面の簡単な説明】
【００４５】
【図１】本発明の実施の形態のコンクリート基礎構造を示す断面図である。
【図２】図１に示すコンクリート基礎材の斜視図である。
【図３】図２に示すコンクリート基礎材を複数配置した平面図である。
【図４】図１に示すコンクリート基礎構造の（Ａ）巾止め部材にアンカーボルトを取り付ける状態を示す斜視図、（Ｂ）他の巾止め部材を示す斜視図、（Ｃ）土台周辺の断面図、（Ｄ）巾止め部材の他の態様を示す斜視図、（Ｅ）アンカーボルトを取り付けた巾止め部材のさらに他の態様を示す斜視図である。
【図５】本発明の実施の形態のコンクリート基礎構造で用いられるコンクリート基礎材の他の態様を示す（Ａ）斜視図、（Ｂ）側面図、（Ｃ）複数配置した平面図、さらに他の態様を示す（Ｄ）側面図、（Ｅ）型枠板の他の態様をコンクリート基礎材とともに示す側面図である。
【符号の説明】
【００４６】
１  コンクリート基礎構造
２  コンクリート基礎材
３  型枠板
４Ａ，４Ｂ  巾止め部材
５  アンカーボルト
６  巾止め固定ナット
７  レベル調整ナット
８  土台
９  コンクリート材
１１  基板
１１ａ  型枠用溝
１２  せき板
【図１】
2006177089.tif 000003
【図２】
2006177089.tif 000004
【図３】
2006177089.tif 000005
【図４】
2006177089.tif 000006
【図５】
2006177089.tif 000007